(57)【特許請求の範囲】
【請求項１】
内部に燃料通路が形成されたパイプ本体部と、前記パイプ本体部へ燃料を導入するインレットパイプと、前記パイプ本体部に導入された燃料を前記燃料通路から複数のインジェクタに分配する複数のインジェクタ取付部とを有する樹脂製のフューエルデリバリパイプにおいて、
前記インレットパイプは、その内径が前記パイプ本体部の内径より小さく、前記パイプ本体部の一端に、インレットパイプ根元に向かって前記パイプ本体部の内径から径が徐々に小さくなる傾斜面を備える接続部を介して一体成形されており、
前記接続部に繋がるインレットパイプの根元部分は、他の部分よりも肉厚に形成されている
ことを特徴とするフューエルデリバリパイプ。
【請求項２】
請求項１に記載するフューエルデリバリパイプにおいて、
前記傾斜面は、前記インレットパイプの中心軸となす角度が６０°以下となるように形成されている
ことを特徴とするフューエルデリバリパイプ。
【請求項３】
請求項１又は請求項２に記載するフューエルデリバリパイプにおいて、
前記接続部の傾斜面に、余剰な樹脂を収容するオーバーフロー樹脂溜まり部が形成されている
ことを特徴とするフューエルデリバリパイプ。
【請求項４】
請求項３に記載するフューエルデリバリパイプにおいて、
前記インレットパイプの根元は、前記オーバーフロー樹脂溜まり部と反対側に前記パイプ本体部中心からオフセットして配置されている
ことを特徴とするフューエルデリバリパイプ。
【請求項５】
請求項１から請求項４に記載するいずれか１つのフューエルデリバリパイプにおいて、
前記インレットパイプは、フューエルデリバリパイプが内燃機関に取り付けられた状態にて、その先端が天方向に向くように前記パイプ本体部に対して斜めに配置されている
ことを特徴とするフューエルデリバリパイプ。
【請求項６】
請求項１から請求項４に記載するいずれか１つのフューエルデリバリパイプにおいて、
前記インレットパイプは、その先端が前記インジェクタ取付部とは反対側に向くように前記パイプ本体部に対して斜めに配置されている
ことを特徴とするフューエルデリバリパイプ。
【発明の詳細な説明】
【技術分野】
【０００１】
本発明は、内燃機関の各気筒に備わるインジェクタに燃料を分配して供給するフューエルデリバリパイプに関する。より詳細には、合成樹脂製のフューエルデリバリパイプに関するものである。
【背景技術】
【０００２】
従来から、内燃機関の各気筒に備わるインジェクタに対し、燃料タンクから供給される燃料を分配するために、フューエルデリバリパイプが使用されている。フューエルデリバリパイプは、燃料通路が形成されたパイプ本体部と、パイプ本体部内に燃料を導入するインレットパイプと、パイプ本体部内に導入された燃料をそれぞれのインジェクタに分配する複数のインジェクタ取り付け部とを備えている。
【０００３】
そして、例えば、特許文献１に記載のフューエルデリバリパイプ（燃料デリバリ管）では、インレットパイプ（燃料入口管）をパイプ本体部の一端に、インレットパイプとパイプ本体部との両内部が略一直線状に連通するように設け、インレットパイプの内径を、パイプ本体部の内径と同じにするか大きくしている。これにより、フューエルデリバリパイプの内部を形成する中子型を、インレットパイプの内部から型抜きできるようにして、インレットパイプを一体化したフューエルデリバリパイプを実現させている。これにより、部品点数を少なくして、製造コストを低減している。
【先行技術文献】
【特許文献】
【０００４】
【特許文献１】特開平１１−２３０００２号公報
【発明の概要】
【発明が解決しようとする課題】
【０００５】
しかしながら、上記した従来のフューエルデリバリパイプでは、インレットパイプの内径がパイプ本体部の内径と同じか大きいため、インレットパイプに直接、燃料供給ホースを接続することができない。そのため、燃料供給ホースを接続するための管継ぎ手が別途必要になってしまう。これでは、インレットパイプをパイプ本体部に一体化したことによる部品点数の削減効果がない。また、フューエルデリバリパイプを内燃機関に組み付ける際の組付け作業性も煩雑になってしまう。
【０００６】
ここで、パイプ本体部の内径よりも小さい内径のインレットパイプをパイプ本体部に一体成形することにより、上記した問題を解消することができる。ところが、単純に一体成形すると、インレットパイプとパイプ本体部との接続部分で、成形樹脂の流れ方向が急激に変化して乱れてしまう。そうすると、接続部分にウエルドが発生するとともに、接続部から先で成形樹脂内のフィラー状補強材（例えば、ガラス強化繊維など）の配向が乱れてしまう。その結果、接続部分（インレットパイプの根元）での強度低下、及びインレットパイプ自体の強度低下が発生してしまうため、インレットパイプの強度を十分に確保することができないおそれがあった。
【０００７】
そこで、本発明は上記した問題点を解決するためになされたものであり、インレットパイプを一体成形しても、インレットパイプの強度を十分に確保することができるフューエルデリバリパイプを提供することを目的とする。
【課題を解決するための手段】
【０００８】
上記課題を解決するためになされた本発明の一形態は、内部に燃料通路が形成されたパイプ本体部と、前記パイプ本体部へ燃料を導入するインレットパイプと、前記パイプ本体部に導入された燃料を前記燃料通路から複数のインジェクタに分配する複数のインジェクタ取付部とを有する樹脂製のフューエルデリバリパイプにおいて、前記インレットパイプは、その内径が前記パイプ本体部の内径より小さく、前記パイプ本体部の一端に、インレットパイプ根元に向かって前記パイプ本体部の内径から径が徐々に小さくなる傾斜面を備える接続部を介して一体成形されており、前記接続部に繋がるインレットパイプの根元部分は、他の部分よりも肉厚に形成されていることを特徴とする。
【０００９】
このフューエルデリバリパイプでは、インレットパイプの内径がパイプ本体部の内径より小さく、そのインレットパイプがパイプ本体部の一端に、インレットパイプ根元に向かって径が徐々に小さくなる傾斜面を備える接続部を介して一体成形されている。このため、接続部における成形樹脂の流れをスムーズにすることができる。その結果、接続部においてウエルドが発生しにくくなるとともに、接続部から先で成形樹脂内のフィラー状補強材（例えば、ガラス強化繊維など）の配向の乱れを抑制することができる。従って、接続部での強度低下、及びインレットパイプ自体の強度低下を防止することができ、インレットパイプの強度を十分に確保することができる。
【００１０】
上記したフューエルデリバリパイプにおいて、前記傾斜面は、前記インレットパイプの中心軸となす角度が６０°以下となるように形成されていることが望ましい。
【００１１】
傾斜面とインレットパイプの中心軸とがなす角度を６０°よりも大きくすると、接続部における成形樹脂の流れに乱れが生じて、接続部においてウエルドが発生するとともに、接続部から先で成形樹脂内のフィラー状補強材の配向に乱れが生じるおそれが高くなるからである。なお、上記角度は６０°以下であればインレットパイプの強度上の問題は生じないが、角度を小さくするにしたがって接続部の長さが長くなってフューエルデリバリパイプが大型化してしまう（軸方向に長くなる）。そのため、好ましくは、上記角度は、３０°以上とするのがよい。
【００１２】
ここで、フューエルデリバリパイプの成形時にガスが発生するが、ガス焼けが生じると、樹脂表面のゆがみ又は破壊を生ずることがある。なお、ガス焼けとは、発生ガスにより樹脂が黒くなるまで進みうる色の変化に帰着する局部的な熱分解の跡を意味する。そして、インレットパイプはパイプ本体部の端部に一体成形されているため、成形時に発生するガスが樹脂の流動端末で圧縮され高温化してインレットパイプの成形に悪影響を及ぼすおそれが高い。つまり、インレットパイプが成形不良となり強度不足などの不具合が生じる可能性がある。
【００１３】
そこで、上記したフューエルデリバリパイプにおいて、前記接続部の傾斜面に、余剰な樹脂を収容するオーバーフロー樹脂溜まり部が形成されていることが望ましい。
【００１４】
このように、接続部の傾斜面にオーバーフロー樹脂溜まり部が形成されていることにより、成形時に発生したガスがインレットパイプへ流れ込みにくくすることができる。その結果、インレットパイプの成形不良を防止することができ、強度を十分に確保することができる。
【００１５】
この場合には、前記インレットパイプの根元は、前記オーバーフロー樹脂溜まり部と反対側に前記パイプ本体部中心からオフセットして配置されていることが望ましい。
【００１６】
このような構成にすることにより、成形樹脂がインレットパイプへ流れやすくなるとともに、成形時に発生したガスがオーバーフロー樹脂溜まり部に流れ込みやすくなるからである。その結果として、十分な強度を持つインレットパイプを成形することができる。
【００１７】
そして、上記したフューエルデリバリパイプのいずれかにおいて、前記インレットパイプは、フューエルデリバリパイプが内燃機関に取り付けられた状態にて、その先端が天方向に向くように前記パイプ本体部に対して斜めに配置されていることが望ましい。
【００１８】
このような構成にすることにより、フューエルデリバリパイプを内燃機関から取り外す際に、パイプ本体部内に溜まっている燃料がこぼれないようにすることができる。従って、フューエルデリバリパイプの脱着作業性を向上させることができる。
【００１９】
また、上記したフューエルデリバリパイプのいずれかにおいて、前記インレットパイプは、その先端が前記インジェクタ取付部とは反対側に向くように前記パイプ本体部に対して斜めに配置されていてもよい。
【００２０】
一般的にフューエルデリバリパイプは、インジェクタ取付部が下向きになるように内燃機関に取り付けられる。そのため、上記のような構成にすることにより、ほとんどの場合において、フューエルデリバリパイプを内燃機関から取り外す際に、パイプ本体部内に溜まっている燃料がこぼれないようにすることができる。従って、フューエルデリバリパイプの脱着作業性を向上させることができる。
【発明の効果】
【００２１】
本発明に係るフューエルデリバリパイプによれば、上記した通り、インレットパイプを一体成形しても、インレットパイプの強度を十分に確保することができる。
【図面の簡単な説明】
【００２２】
【図１】第１の実施の形態に係るフューエルデリバリパイプの概略構成を示す正面図である。
【図２】第１の実施の形態に係るフューエルデリバリパイプの概略構成を示す底面図である。
【図３】図２に示すＡ−Ａ線における断面図である。
【図４】樹脂成形用の各金型の概略構成を示す断面図である。
【図５】第２の実施の形態に係るフューエルデリバリパイプの概略構成を示す正面図である。
【図６】第２の実施の形態に係るフューエルデリバリパイプの概略構成を示す底面図である。
【図７】図６に示すＡ−Ａ線における断面図である。
【発明を実施するための形態】
【００２３】
以下、本発明のフューエルデリバリパイプを具体化した実施の形態について、図面に基づき詳細に説明する。本実施の形態は、ガソリンエンジンにガソリンを供給するためのフューエルデリバリパイプに本発明を適用したものである。
【００２４】
［第１の実施の形態］
まず、第１の実施の形態に係るフューエルデリバリパイプについて、図１〜図３を参照しながら説明する。図１は、第１の実施の形態に係るフューエルデリバリパイプの概略構成を示す正面図である。図２は、第１の実施の形態に係るフューエルデリバリパイプの概略構成を示す底面図である。図３は、図２に示すＡ−Ａ線における断面図である。
【００２５】
図１及び図２に示すように、フューエルデリバリパイプ１０は、略円筒状に形成されたパイプ本体部１１と、パイプ本体部１１の一端部に接続部１２を介して一体成形されたインレットパイプ１３と、パイプ本体部１１の下側に形成された複数（本実施の形態では４つ）のインジェクタ取付部１２と、パイプ本体部１１に形成された左右一対の取付フランジ１５とを有している。このようなフューエルデリバリパイプ１０は、短繊維からなるフィラー状補強材が混入された複合樹脂からなる樹脂成形品である。この複合樹脂には、ポリアミド樹脂、例えば６６ナイロンが、またフィラー状補強材にはガラス繊維が好適に用いられる。なお、パイプ本体部１１の他端部には、封止用キャップ１６が溶着されている。
【００２６】
パイプ本体部１１には、図３に示すように、内部に燃料通路１１ａが形成されており、インレットパイプ１３と連通している。インレットパイプ１３は、その内径がパイプ本体部１１の内径よりも小さくなっており、燃料供給ホースを直接接続することができるようになっている。なお、燃料供給ホースの他端は、フューエルポンプに通じる燃料配管に接続される。これにより、インレットパイプ１３を通じて燃料がパイプ本体部１１の燃料通路１１ａに導入されるようになっている。
【００２７】
インレットパイプ１３は、パイプ本体部１１に対し接続部１２を介して一体成形されている。本実施の形態では、インレットパイプ１３は、その中心軸がパイプ本体部１１の中心軸とほぼ一致するように（一直線上に）配置されている。そして、接続部１２には、パイプ本体部１１側からインレットパイプ１３側に向かって徐々に径が小さくなるように形成された傾斜面２０が備わっている。この傾斜面２０は、インレットパイプ１３の中心軸Ｃとなす角度θ（図３参照）がθ≦６０°を満たすように形成されている。このように角度θの範囲を設定しているのは、角度θを６０°よりも大きく（θ＞６０°）すると、樹脂成形時に接続部１２において樹脂の流れに乱れが生じ、接続部１２にてウエルドが発生するとともに、接続部１２から先、つまり接続部１２及びインレットパイプ１３で樹脂内のフィラー状補強材の配向に乱れが生じるおそれが高くなるからである。一方、角度θを小さくするにしたがって接続部１２の長さが長くなってフューエルデリバリパイプ１０が大型化してしまう（軸方向に長くなる）ため、好ましくは、角度θは３０°≦θ≦６０°を満たすことが好ましい。なお、本実施の形態では、角度θを４５°としている。
【００２８】
ここで、インレットパイプ１３の根元部分、つまりインレットパイプ１３と接続部１２との境界部分は、他の部分よりも肉厚に形成されている。これにより、インレットパイプ１３の根元部分における強度の増大が図られている。また、スライド型３２においては、先端の先鋭化が回避されており、嵌合穴３２ａの強度の増大も図られている。
【００２９】
各インジェクタ取付部１４は、パイプ本体部１１から分岐されて下方に開口するほぼ円筒形状に形成されている。各インジェクタ取付部１４には、インジェクタがそれぞれ挿着される。各インジェクタ取付部１４は、連通路１７を介して燃料通路１１ａに連通している。これにより、各インジェクタ取付部１４は、パイプ本体部１１の燃料通路１１ａに導入された燃料をそれぞれのインジェクタに分配することができるようになっている。
【００３０】
取付フランジ１５は、フューエルデリバリパイプ１０をエンジンにボルト等で固定するために使用されるものである。そして、フューエルデリバリパイプ１０は、図１に示すようにインジェクタ取付部１４が下向きの状態で、取付フランジ１５を介してエンジンに固定される。
【００３１】
上記したフューエルデリバリパイプ１０は、次に述べるようにして樹脂成形される。まず、図４に示すように、上型３０と下型３１とを合わせて、フューエルデリバリパイプ１０を成形するための空間を形成する。次に、この空間内にスライド型（中子）３２，３３，３４を挿入して配置する。これにより、金型内にフューエルデリバリパイプ１０を成形するためのキャビティ３６が形成される。なお、図４は、樹脂成形用の各金型の概略構成を示す断面図である。
【００３２】
ここで、スライド型３２は、パイプ本体部１１（燃料通路１１ａ）及び接続部１２を形成するための金型であり、図４中右側から上記空間内に挿入配置される。このスライド型３２の先端は、先細りのテーパ状になっており、上型３０及び下型３１とともに接続部１２に傾斜面２０を形成するようになっている。また、このスライド型３２の先端中央に、スライド型３３の先端部が嵌合する嵌合穴３２ａが形成されている。
【００３３】
スライド型３３は、インレットパイプ１３を形成するための金型であり、図４中左側から上記空間内に挿入配置される。このとき、スライド型３３の先端部がスライド型３２の嵌合穴３２ａに嵌合し、スライド型３２とスライド型３３とが一体化される。このスライド型３３の先端部付近の紙面奥側にオーバーフローゲート３５が設けられている。
スライド型３４は、インジェクタ取付部１４の先端に凸部１４ａを形成するための金型であり、図４の紙面手前側から奥に向かって上記空間内に挿入配置される。
【００３４】
そして、図４に示すように、金型３０〜３４のセットが完了すると、上型３０に設けられた成形ゲート３７からフィラー状補強材が混入された複合樹脂が金型内に形成されたキャビティ３６に注入されてインサート成形される。なお、成形ゲート３７は、金型におけるパイプ本体部１１の右端部に位置している。そのため、複合樹脂がフューエルデリバリパイプ１０の右端から注入されるので、複合樹脂は右端から長手方向へ流れ、右端から左端へと順に充填される。つまり、複合樹脂は、パイプ本体部１１の右端部からインレットパイプ１１へと順に充填される。
【００３５】
ここで、接続部１２に傾斜面２０が設けられているため、接続部１２においても複合樹脂がスムーズに流れる。そのため、接続部１２及びインレットパイプ１３の根元においてウエルドが発生しにくくなるとともに、接続部１２及びインレットパイプ１３におけるフィラー状補強材の配向の乱れを抑制することができる。また、上記したように、インレットパイプ１３の根元部分は、他の部分よりも肉厚に形成されている。これらのことから、接続部１２及びインレットパイプ１３の根元における強度低下、及びインレットパイプ１３自体の強度低下をともに防止することができる。その結果として、インレットパイプ１３の強度が十分に確保された、インレットパイプ１３が一体成形されたフューエルデリバリパイプ１０を得ることができる。
【００３６】
また、フューエルデリバリパイプ１０の成形時にはガスが発生するが、ガス焼けが生じると、樹脂表面のゆがみ又は破壊を生ずることがある。なお、ガス焼けとは、発生ガスにより樹脂が黒くなるまで進みうる色の変化に帰着する局部的な熱分解の跡を意味する。そして、パイプ本体部の右端部（インレットパイプ１３とは反対側端部）から樹脂を注入・充填するため、成形時に発生するガスが樹脂の流動端末で圧縮され高温化してインレットパイプ１３の成形に悪影響を及ぼすおそれが高い。例えば、樹脂成形時にインレットパイプ１３の部分でガス焼けが生じてしまうと、インレットパイプ１３の表面が荒れるなどの成形不良が発生し、強度不足やシール不良などを起こす可能性がある。
【００３７】
ところが、金型にオーバーフローゲート３５が設けられているため、接続部１２にオーバーフロー樹脂溜まり部２１が形成される（図２参照）。このため、成形時に発生したガスがインレットパイプ１３に流れ込みにくくすることができる。従って、インレットパイプ１３の成形不良を防止することができ、十分な強度を確保することができる。なお、オーバーフロー樹脂溜まり部２１は、樹脂成形後に除去してもよい。
【００３８】
その後、上記のように樹脂成形され、金型から取り出されたフューエルデリバリパイプ１０に対し、封止用キャップ１６が取り付けられる。かくして、図１及び図２に示すフューエルデリバリパイプ１０が出来上がる。
【００３９】
以上、詳細に説明したように第１の実施の形態に係るフューエルデリバリパイプ１０によれば、パイプ本体部１１とインレットパイプ１３とを接続する接続部１２に傾斜面２０が設けられているため、接続部１２においても複合樹脂がスムーズに流れる。これにより、接続部１２及びインレットパイプ１３の根元においてウエルドが発生しにくくなるとともに、接続部１２及びインレットパイプ１３におけるフィラー状補強材の配向の乱れを抑制することができる。従って、インレットパイプ１３が一体成形されたフューエルデリバリパイプ１０において、インレットパイプ１３の強度を十分に確保することができる。
【００４０】
また、接続部１２にオーバーフロー樹脂溜まり部２１が形成されるため、成形時に発生したガスがインレットパイプ１３に流れ込みにくい。このことも、インレットパイプ１３の強度確保に寄与している。
【００４１】
［第２の実施の形態］
次に、第２の実施の形態について説明する。第２の実施の形態は、第１の実施の形態と基本的な構成はほぼ同じであるが、接続部の形状及びインレットパイプの配置が異なっている。そのため、以下では、第１の実施の形態と同じ構成については図面に同じ符号を付してその説明を適宜省略し、第１の実施の形態との相違点を主に説明する。そこで、第２の実施の形態に係るフューエルデリバリパイプについて、図５〜図７を参照しながら説明する。図５は、第２の実施の形態に係るフューエルデリバリパイプの概略構成を示す正面図である。図６は、第２の実施の形態に係るフューエルデリバリパイプの概略構成を示す底面図である。図７は、図６に示すＡ−Ａ線における断面図である。
【００４２】
図５及び図６に示すように、フューエルデリバリパイプ１０ａも、パイプ本体部１１と、パイプ本体部１１の一端部に接続部１２ａを介して一体成形されたインレットパイプ１３と、パイプ本体部１１の下側に形成された複数（本実施の形態では４つ）のインジェクタ取付部１２と、パイプ本体部１１に形成された左右一対の取付フランジ１５とを有している。そして、フューエルデリバリパイプ１０ａは、図５に示すようにインジェクタ取付部１４が下向きの状態で、取付フランジ１５を介してエンジンに固定される。
【００４３】
インレットパイプ１３は、図５に示すように、その先端がインジェクタ取付部１４とは反対側に向くようにパイプ本体部１１に対して斜めに配置されていている。つまり、インレットパイプ１３は、エンジンに取り付けられた状態にて、その先端が天方向に向くようにパイプ本体部１１に対して斜めに配置されている。これにより、フューエルデリバリパイプ１３をエンジンから取り外す際に、パイプ本体部１１内に溜まっている燃料がこぼれないようになっている。また、フューエルデリバリパイプ１０ａでは、インレットパイプ１３が一体化されているため、エンジンへの取付作業も容易である。このため、フューエルデリバリパイプ１０ａは、エンジンへ脱着する際の作業性が非常によい。
【００４４】
そして、インレットパイプ１３の根元は、図６に示すように、オーバーフロー樹脂溜まり部２１と反対側にパイプ本体部１１の中心からオフセットして配置されている。インレットパイプ１３は、図７に示すように、パイプ本体部１１内の燃料通路１１ａに連通している。本実施の形態においても、接続部２０ａの傾斜面２０は、インレットパイプ１３の中心軸Ｃとなす角度θがθ＝４５°とされている。また、インレットパイプ１３の根元部分、つまりインレットパイプ１３と接続部１２ａとの境界部分は、他の部分よりも肉厚に形成されている。
【００４５】
このようなフューエルデリバリパイプ１０ａも、第１の実施の形態で説明したようにインサート成形される。ここで、フューエルデリバリパイプ１０ａでは、接続部１２ａに傾斜面２０ａが設けられているとともに、インレットパイプ１３の根元が、オーバーフロー樹脂溜まり部２１と反対側にパイプ本体部１１の中心からオフセットして配置されている。このため、樹脂成形時に、接続部１２ａにおいても複合樹脂がスムーズに流れてインレットパイプ１３へ複合樹脂が流れやすい。また、成形時に発生したガスがオーバーフローゲート３５を介してオーバーフロー樹脂溜まり部２１に流れ込みやすい。
【００４６】
その結果、接続部１２ａ及びインレットパイプ１３の根元においてウエルドが発生しにくくなるとともに、接続部１２ａ及びインレットパイプ１３におけるフィラー状補強材の配向の乱れを抑制しながら、ガスのインレットパイプ１３への混入を確実に防止することができる。また、上記したように、インレットパイプ１３の根元部分は、他の部分よりも肉厚に形成されている。これらのことから、接続部１２ａ及びインレットパイプ１３の根元における強度低下、及びインレットパイプ１３自体の強度低下をともに防止することができる。従って、インレットパイプ１３の強度が十分に確保された、インレットパイプ１３が一体成形されたフューエルデリバリパイプ１０ａを得ることができる。
【００４７】
以上、詳細に説明したように第２の実施の形態に係るフューエルデリバリパイプ１０ａによれば、パイプ本体部１１とインレットパイプ１３とを接続する接続部１２ａに傾斜面２０ａが設けられている。また、インレットパイプ１３の根元が、オーバーフロー樹脂溜まり部２１と反対側にパイプ本体部１１の中心からオフセットして配置されている。これらにより、接続部１２ａにおいても複合樹脂がスムーズに流れてインレットパイプ１３へ複合樹脂が流れやすくなるとともに、成形時に発生したガスがオーバーフローゲート３５を介してオーバーフロー樹脂溜まり部２１に流れ込みやすくなる。その結果、接続部１２ａ及びインレットパイプ１３の根元においてウエルドが発生しにくくなるとともに、接続部１２ａ及びインレットパイプ１３におけるフィラー状補強材の配向の乱れを抑制しながら、ガスのインレットパイプ１３への混入を確実に防止することができる。従って、インレットパイプ１３が一体成形されたフューエルデリバリパイプ１０ａにおいて、インレットパイプ１３の強度を十分に確保することができる。
【００４８】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、インジェクタ取付部１４を４つ設け、取付フランジ１５を２つ設けているが、これらの数はエンジンの仕様に応じて適宜増減することができる。
【００４９】
また、上記した実施の形態では、ガソリンエンジンで使用されるフューエルデリバリパイプに本発明を適用した場合を例示したが、本発明は、ガソリンエンジン以外（例えば、液化ガス燃料などを使用するエンジン）で使用されるフューエルデリバリパイプや、バイフューエルエンジンで使用されるフューエルデリバリパイプにも適用することができる。
【符号の説明】
【００５０】
１０    フューエルデリバリパイプ
１１    パイプ本体部
１１ａ  燃料通路
１２    接続部
１３    インレットパイプ
１４    インジェクタ取付部
１５    取付フランジ
２０    傾斜面
２１    オーバーフロー樹脂溜まり部
Ｃ      中心軸
【図１】
0005508119.tif 000002
【図２】
0005508119.tif 000003
【図３】
0005508119.tif 000004
【図４】
0005508119.tif 000005
【図５】
0005508119.tif 000006
【図６】
0005508119.tif 000007
【図７】
0005508119.tif 000008